(57)【特許請求の範囲】
【請求項１】
土及び樹木の根を出し入れ可能な上部開口を有した収容容器と、当該収容容器に収容された土と、当該土中に根が埋め込まれて植え込まれた樹木とを備えて構成された回転体と、
地面下に設置されて回転体の収容容器を収容する収容部と、収容容器に植え込まれた樹木の高さ方向に沿って延長する回転中心軸を回転中心として回転体を回転可能に支持する回転支持機構とを備えて構成された回転体支持装置と、
回転体支持装置の収容部の上部開口と回転体の収容容器の上部開口との間の環状開口を塞ぐ塞部材とを備え、
回転体の収容容器は、回転体の収容容器の外周面と回転体支持装置の収容部の内周面との間、及び、回転体の収容容器の外底面と回転体支持装置の収容部の内底面との間に、回転体の回転抵抗を低減させるための隙間が設けられた状態となるように回転体支持装置の収容部に収容されて回転可能に構成されたことを特徴とする樹木回転装置。
【請求項２】
土及び樹木の根を出し入れ可能な上部開口を有した収容容器と、当該収容容器に収容された土と、当該土中に根が埋め込まれて植え込まれた樹木とを備えて構成された回転体と、
地面下に設置されて回転体の収容容器を収容する収容部と、収容容器に植え込まれた樹木の高さ方向に沿って延長する回転中心軸を回転中心として回転体を回転可能に支持する回転支持機構とを備えて構成された回転体支持装置とを備え、
回転体の収容容器は、回転体の収容容器の外周面と回転体支持装置の収容部の内周面との間、及び、回転体の収容容器の外底面と回転体支持装置の収容部の内底面との間に、回転体の回転抵抗を低減させるための隙間が設けられた状態となるように回転体支持装置の収容部に収容されて回転可能に構成され、
回転体の収容容器、及び、回転体支持装置の収容部が錐台状の容器により構成されたことを特徴とする樹木回転装置。
【請求項３】
回転体支持装置の錐台状の収容部の周壁が、周方向に複数個に分割された複数の分割体により形成され、
収容部は、複数の分割体の各下端縁と収容部の底体の周縁とが着脱可能に連結されて構成されたことを特徴とする請求項２に記載の樹木回転装置。
【請求項４】
回転体支持装置の錐台状の収容部の周壁が、周方向に複数個に分割された複数の分割体により形成され、
収容部は、複数の分割体が収容部の中心線から離れる方向及び収容部の中心線に近付く方向に移動可能なように、複数の分割体の各下端縁と収容部の底体の周縁とが連結されて構成されたことを特徴とする請求項２に記載の樹木回転装置。
【請求項５】
樹木の幹の周りを囲むリング体とリング体を回転体の収容容器に固定する固定手段とを有した樹木転倒防止手段を備えたことを特徴とする請求項１乃至請求項４のいずれか一項に記載の樹木回転装置。
【発明の詳細な説明】
【技術分野】
【０００１】
本発明は、地盤に植え込まれた樹木を回転させることが可能な樹木回転装置に関する。
【背景技術】
【０００２】
庭、公園等の公共施設、歩道、建物屋上等の緑化のため、樹木を植樹することが一般に行われている。樹木は、一旦地盤に植え込まれてしまえば、通常は、その後、植え替えられることは少ない（例えば、特許文献１；２等参照）。
【先行技術文献】
【特許文献】
【０００３】
【特許文献１】特開２００１−２３１３８５号公報
【特許文献２】特開２００３−２７４７７１号公報
【発明の概要】
【発明が解決しようとする課題】
【０００４】
所定の場所から見た場合の、樹木の見え方を変えることができれば、景観に変化を与えることができる。例えば、季節の変化に応じて、景観に変化を与えたい場合等が考えられる。
しかしながら、樹木の見え方を変えるためには、樹木を植え替えて樹木の向きを変える必要があり、作業コスト、作業手間等の面から考えて現実的ではない。
本発明は、樹木を植え替えることなく、樹木を回転させることで、樹木の見え方を簡単に変更できて景観を変えることができるようにした樹木回転装置を提供する。
【課題を解決するための手段】
【０００５】
本発明に係る樹木回転装置は、土及び樹木の根を出し入れ可能な上部開口を有した収容容器と、当該収容容器に収容された土と、当該土中に根が埋め込まれて植え込まれた樹木とを備えて構成された回転体と、地面下に設置されて回転体の収容容器を収容する収容部と、収容容器に植え込まれた樹木の高さ方向に沿って延長する回転中心軸を回転中心として回転体を回転可能に支持する回転支持機構とを備えて構成された回転体支持装置と、回転体支持装置の収容部の上部開口と回転体の収容容器の上部開口との間の環状開口を塞ぐ塞部材とを備え、回転体の収容容器は、回転体の収容容器の外周面と回転体支持装置の収容部の内周面との間、及び、回転体の収容容器の外底面と回転体支持装置の収容部の内底面との間に、回転体の回転抵抗を低減させるための隙間が設けられた状態となるように回転体支持装置の収容部に収容されて回転可能に構成されたので、樹木を回転させることが可能となり、所定の場所からの樹木の見え方を簡単に変更できて景観を変えることができるようになるとともに、回転体の回転抵抗を低減させるための隙間内への異物混入を防止できるため、樹木回転装置の回転体の回転機能を維持させることが可能となる。
また、本発明に係る樹木回転装置は、土及び樹木の根を出し入れ可能な上部開口を有した収容容器と、当該収容容器に収容された土と、当該土中に根が埋め込まれて植え込まれた樹木とを備えて構成された回転体と、地面下に設置されて回転体の収容容器を収容する収容部と、収容容器に植え込まれた樹木の高さ方向に沿って延長する回転中心軸を回転中心として回転体を回転可能に支持する回転支持機構とを備えて構成された回転体支持装置とを備え、回転体の収容容器は、回転体の収容容器の外周面と回転体支持装置の収容部の内周面との間、及び、回転体の収容容器の外底面と回転体支持装置の収容部の内底面との間に、回転体の回転抵抗を低減させるための隙間が設けられた状態となるように回転体支持装置の収容部に収容されて回転可能に構成され、回転体の収容容器、及び、回転体支持装置の収容部が錐台状（円錐台状又は角錐台状）の容器により構成されたので、収容部の外周面上に土が被さる構成となるため、樹木の引き抜け力や転倒に対する抵抗力を発揮できる構成となり、樹木の引き抜けや転倒防止効果の高い装置となる。
また、回転体支持装置の錐台状の収容部の周壁が、周方向に複数個に分割された複数の分割体により形成され、収容部は、複数の分割体の各下端縁と収容部の底体の周縁とが着脱可能に連結されて構成されたので、分割体を取り外すことが可能となるので、地面下に設置された回転体支持装置の収容部から回転体の収容容器を出し入れする作業が容易となり、樹木の植え替え作業が容易となる。
また、回転体支持装置の錐台状の収容部の周壁が、周方向に複数個に分割された複数の分割体により形成され、収容部は、複数の分割体が収容部の中心線から離れる方向及び収容部の中心線に近付く方向に移動可能なように、複数の分割体の各下端縁と収容部の底体の周縁とが連結されて構成されたので、複数の分割体を外側に開くことが可能になるため、地面下に設置された回転体支持装置の収容部から回転体の収容容器を出し入れする作業が容易となり、樹木の植え替え作業が容易となる。  
また、樹木の幹の周りを囲むリング体とリング体を回転体の収容容器に固定する固定手段とを有した樹木転倒防止手段を備えたので、回転体の収容容器内に植え込まれた樹木の根が収容容器内から引き抜けるなどして樹木が転倒してしまうことを防止することができるようになる。
【図面の簡単な説明】
【０００６】
【図１】樹木回転装置の断面図（実施形態１）。
【図２】樹木回転装置を分解して示す分解斜視図（実施形態１）。
【図３】樹木回転装置の断面図（実施形態３）。
【図４】樹木回転装置の断面図（実施形態３）。
【図５】樹木回転装置の断面図（実施形態４）。
【図６】収容部を示す動作説明図（実施形態５）。
【発明を実施するための形態】
【０００７】
実施形態１
実施形態１による樹木回転装置は、図１；図２に示すように、回転体１と、回転体支持装置２と、蓋６と、樹木転倒防止手段７とを備えて構成される。
【０００８】
回転体１は、土３及び樹木４の根５を出し入れ可能な開口１２を有した収容容器１１と、当該収容容器１１に収容された土３と、当該土３中に根５が埋め込まれて植え込まれた樹木４とを備えて構成される。
収容容器１１は、樹木４の根５及び当該根５を埋め込むための土３を収容するための上部開口１２の円錐台状の容器に形成される。この収容容器１１の上部開口縁部１３は、例えば収容容器１１の円錐台の中心線に沿った方向に延長する円筒状に形成される。この収容容器１１の上部開口１２を介して収容容器１１内に、樹木４の根５及び当該根５を埋め込むための土３を入れて当該土３中に樹木４の根５が埋め込まれて樹木４が植え込まれることによって、収容容器１１と当該収容容器１１に収容された土３と当該土３中に根５が埋め込まれて植え込まれた樹木４とが一体となって回転可能な回転体１が構成される。
収容容器１１は、収容容器１１の底面を形成する円形底体１４の下面より下方に突出するように設けられた回転中心軸部１５を備える。この回転中心軸部１５は、収容容器１１を形成する円錐台の中心線と同一の中心線を有した円柱状に形成され、例えば後述する軸受２２の内輪２２ｃの内側に嵌め込まれて、当該中心線を回転中心として回転するように構成される。
【０００９】
回転体支持装置２は、地面１０下に設置されて回転体１の収容容器１１を収容する収容部２１と、収容容器１１に植え込まれた樹木４の高さ方向に沿って延長する回転中心軸を回転中心として回転体１を回転可能に支持する回転支持機構としての軸受２２とを備えて構成される。
収容部２１は、回転体１の収容容器１１よりも一回り大きい上部開口２３の円錐台状の容器に形成される。
収容部２１は、回転体１の収容容器１１の円錐台の側面（外周面）１７との間に隙間３６を形成する円錐台状筒体２４と、回転体１の収容容器１１の外底面１６との間に隙間３６を形成する円形底体２５とを備え、円錐台状筒体２４の下端外周縁と円形底体２５の円周縁とが、溶接、接着剤、ブラケット等の図外の連結手段で連結されて構成される。この円錐台状筒体２４の上部開口縁部２６は、例えば円錐台状筒体２４の円錐台の中心線に沿った方向に延長する円筒状に形成される。
軸受（ベアリング）２２は、ころがり軸受（スラスト軸受、ラジアル軸受）、又は、すべり軸受のいずれを使用しても良く、回転体１の重量や大きさに応じて、回転体１を回転可能に支持できるように、種類、設置数、設置方法等を適切に選定すればよい。
例えば、図１に示すように、円形底体２５の中央側に軸受固定孔２２Ａを形成しておいて、軸受２２の外輪２２ｂの外周面を当該軸受固定孔２２Ａの内周面に嵌め込むように固定するとともに、回転中心軸部１５の外周面を軸受２２の内輪２２ｃの内周面に嵌め込むように固定して、回転体１の回転中心軸１５と内輪２２ｃとが一緒に回転可能となるように構成すればよい。
軸受２２の一例としては、例えば図１に示すような、転動体２２ａとしてのたる形の凸面ころを斜めに配列して構成されたスラスト自動調心ころ軸受を用いればよい。
【００１０】
樹木回転装置の構築方法について説明する。
まず、回転体支持装置２の収容部２１の円形底体２５に固定された軸受２２の内輪２２ｃの内周面に回転体１の回転中心軸部１５の外周面を嵌め込むことで、回転体１の回転中心軸部１５と軸受２２とを組み付ける。これにより、回転体１の円形底体１４の外底面１６と収容部２１の円形底体２５との間に隙間が形成されるとともに、回転中心軸部１５の下端面１５ａと収容部２１の円形底体２５との間に隙間が形成された状態となり、回転体１が回転中心軸部１５の中心線を回転中心として回転可能に構成される。
その後、収容部２１の円錐台状筒体２４を回転体１の収容容器１１の上方側から被せるようにして円錐台状筒体２４の内周面３０と回転体１の収容容器１１の外周面１７との間に隙間３６を維持した状態で円錐台状筒体２４の下端外周縁と円形底体２５の円周縁とを図外の連結手段で連結することにより、回転体１の回転機能が維持される樹木回転装置が構成される。
即ち、回転体１の収容容器１１が、回転体１の収容容器１１の外周面１７と回転体支持装置２の収容部２１の内周面３０との間、及び、回転体１の収容容器１１の外底面１６と回転体支持装置２の収容部２１の内底面２７との間に、回転体１の回転抵抗を低減させるための隙間３６が設けられた状態となるように回転体支持装置２の収容部２１に収容されて回転可能に構成されることで、回転体１の回転機能が維持された樹木回転装置が構成される。
【００１１】
樹木回転装置を用いた樹木植え込み方法について説明する。
まず、植樹対象の地盤に、回転体支持装置２の収容部２１の円形底体２５の面積よりも大きい底面積の設置穴を形成し、この設置穴の底面に収容部２１の円形底体２５の外底面３１を設置して、円形底体２５の内底面２７に設置された軸受２２に回転体１の収容容器１１の回転中心軸部１５を嵌め込む。そして、円錐台状筒体２４を円形底体２５に連結して収容部２１を形成した後、収容部２１の上方に土を被せて設置穴を埋めるとともに、回転体１の収容容器１１内に樹木４の根５（根鉢）を挿入し、根５の周りに土３を充填して回転体１の収容容器１１内に樹木４を植え込む。
尚、収容容器１１と当該収容容器１１に収容された土３と当該土３中に根５が埋め込まれて植え込まれた樹木４とが一体となった回転体１を、植樹対象の地面６下に設置された回転体支持装置２の円形底体２５上に設置した後に、円錐台状筒体２４を円形底体２５に連結して収容部２１を形成し、その後、収容部２１の上方に土を被せて設置穴を埋めるようにしてもよい。
また、樹木回転装置を地上で組み立てた後に、当該樹木回転装置を設置穴内に設置して、その後、収容部２１の上方に土を被せて設置穴を埋めるようにしてもよい。
以上のようにして、樹木４が植え込まれた樹木回転装置を所望の場所の地盤に植樹できる。即ち、地盤に植え込まれた樹木を回転させることが可能となる。
【００１２】
そして、回転体１の収容容器１１の上端開口１２と回転体支持装置２の収容部２１の上端開口２３との間の円環状開口３５を介して隙間３６内に雨水や異物が侵入しないように当該円環状開口３５を塞ぐ塞部材としての円環状の蓋６が設けられる。
当該蓋６は、円環状開口３５を塞ぐ板状円環体６１と、板状円環体６１の外環縁部より延長して板状円環体の板面と直交するように設けられた外側筒部６２と、板状円環体６１の内環縁部より外側筒部６２と同方向に延長して板状円環体６１の板面と直交するように設けられた内側筒部６３とを備えた構成である。
そして、円筒状に形成された回転体１の収容容器１１の上部開口縁部１３の内周面と蓋６の内側筒部６３の外周面とが対向するとともに、円筒状に形成された回転体支持装置２の円錐台状筒体２４の上部開口縁部２６の外周面と蓋６の外側筒部６２の内周面とが対向して、蓋６の板状円環体６１が円環状開口３５を塞ぐように蓋６が設置されることにより、回転体１が回転可能となるとともに円環状開口３５が塞がれた構成となる。
即ち、回転体支持装置２の収容部２１の上部開口２３と回転体１の収容容器１１の上部開口１２との間の環状開口３５を塞ぐ蓋６を備えたことにより、回転体１の収容容器１１の外周面１７と回転体支持装置２の収容部２１の内周面３０との間、及び、回転体１の収容容器１１の外底面１６と回転体支持装置２の収容部２１の内底面２７との間に形成された回転体１の回転抵抗を低減させるための隙間３６内への異物混入を防止できるため、樹木回転装置の回転体１の回転機能を維持させることが可能となる。
尚、円環状開口３５を介して隙間３６内に土砂が入らないように、設置穴内に設置された収容部２１の上方に土を被せて設置穴を埋める作業、及び、設置穴内に設置された収容容器１１内に土３を充填する作業を行う前に、当該蓋６で円環状開口３５を塞ぐことが好ましい。
【００１３】
また、回転体１の収容容器１１内に植え込まれた樹木４の根５が収容容器１１内から引き抜けるなどして樹木４が転倒してしまうことを防止するための樹木転倒防止手段７が設けられる。
樹木転倒防止手段７は、樹木４の幹４１の周りを囲むリング体７１と、リング体７１を回転体１に固定する固定手段としての棒状又は紐状等の連結体７２とを備え、リング体７１の孔に樹木４の幹４１を通し、一端がリング体７１に連結されてリング体７１の外側に延長するように設けられた複数の連結体７２の他端を、円筒状に形成された回転体１の収容容器１１の上部開口縁部１３の内周面に設けられたブラケット７３等の固定部に連結することにより構成される。
尚、リング体７１は、例えば図２に示すように半円弧状の２個の半体同士を、ブラケット及び連結ねじ等で形成された連結手段７４で連結して構成されたリング体や、直線状のものを幹の周りに一周以上巻き回して構成されたリング体を用いることによって、樹木４の根５を回転体１の収容容器１１内の土３に植え込んだ後であっても、樹木転倒防止手段７を設置できるようになる。
当該樹木転倒防止手段７を設けたことにより、回転体１の収容容器１１内に植え込まれた樹木４の根５が収容容器１１内から引き抜けるなどして樹木４が転倒してしまうことを防止できるようになる。
【００１４】
また、回転体１の収容容器１１内の水分を地盤に排出させるために、回転体１の収容容器１１の円形底体１４及び収容部２１の円形底体２５に、水分を通過させるための図外の微細な穴が形成されている。
尚、回転体１の収容容器１１、回転体支持装置２の収容部２１、蓋６、樹木転倒防止手段７は、例えば、金属、合成樹脂等により形成される。
【００１５】
実施形態１の樹木回転装置を用いて植樹を行えば、樹木４に回転力を加えることで、樹木４を植え替えることなく、樹木４を回転させることが可能となり、所定の場所からの樹木４の見え方を簡単に変更できて景観を変えることができるようなる。
また、台風などの強風時において、樹木４が風を受けて風向方向に作用する風力が最小となる向きに回転しやすくなって、樹木４に過大な力が作用してしまうことを抑制でき、樹木４の枝や幹の折れや損傷、倒木等の被害を受け難くなるという効果も得られる。
【００１６】
また、回転体１の収容容器１１及び回転体支持装置２の収容部２１が円錐台形状に形成されている。つまり、回転体１の収容容器１１の外周面が円錐台状に形成されたとともに、回転体支持装置２の収容部２１の周壁が回転体１の収容容器１１の外周面と平行な円錐台状に形成されているので、回転体１の回転抵抗を低減させるための隙間３６を均等にできて、回転体１をスムーズに回転させることが可能となり、かつ、収容部２１の外周面上に土が被さる構成となるため、樹木４の引き抜け力や転倒に対する抵抗力を発揮できる構成となり、樹木４の引き抜けや転倒防止効果の高い装置となる。
【００１７】
実施形態２
実施形態１では、回転支持機構として軸受２２を用いた例を示したが、回転支持機構としては、回転体１の収容容器１１の外周面１７と回転体支持装置２の収容部２１の内周面３０との間、及び、回転体１の収容容器１１の外底面１６と回転体支持装置２の収容部２１の内底面２７との間に、回転体１の回転抵抗を低減させるための隙間３６が設けられた状態となるように回転体支持装置２の収容部２１内に収容された回転体１を、回転体支持装置２の収容部２１の中心線を回転中心線として回転させる回転支持機構であればよい。例えば、回転体１の外底面１６と回転体支持装置２の内底面２７とに対応して設けられた図外の円形レール及び当該円形レール上を走行する車輪により、回転体１が回転体支持装置２の収容部２１の中心線を回転中心線として回転するように構成された回転支持機構、あるいは、回転体１の外底面１６が回転体支持装置２の内底面２７上に設けられた図外の複数の球体上を滑ることにより回転体１が回転体支持装置２の収容部２１の中心線を回転中心線として回転するように構成された回転支持機構等であってもよい。
【００１８】
実施形態３
回転体１の収容容器１１及び回転体支持装置２の収容部２１は、図３に示すような円筒形状の壁部を備えた構成であってもよいし、あるいは、図４に示すような上側部分の径が小径に形成された段差付き円筒形状の壁部を備えた構成であってもよい。段差付き円筒形状の壁部を備えた構成とすれば、収容部２１の壁部の段差面上に土が被さる構成となるため、上述したように樹木４の引き抜けや転倒防止効果の高い装置となる。
【００１９】
実施形態４
また、図５に示すように、回転体１の収容容器１１及び回転体支持装置２の収容部２１として、上端部の周壁が円錐台形状に形成されて下端部の周壁が逆円錐台形状に形成されたもの用いれば、収容部２１の外周面上に土が被さる構成となるため、樹木４の引き抜け力や転倒に対する抵抗力を発揮できる構成となり、樹木４の引き抜けや転倒防止効果の高い装置となるとともに、回転体１の収容容器１１の収容体積を大きくできるため、大型の樹木４を植え込むのに適した収容容器１１の形状を実現できるようになる。
【００２０】
実施形態５
回転体支持装置２の収容部２１が、収容部２１の周壁を形成する円錐台状筒体２４と、収容部２１の底を形成する円形底体２５とを備えた構成において、図６に示すように、円錐台状筒体２４が、当該円錐台状筒体２４を周方向に複数個に分割してなる複数の分割体２４Ａ；２４Ａ…により形成され、収容部２１は、複数の分割体２４Ａ；２４Ａ…が円錐台状筒体２４の中心線から離れる方向及び円錐台状筒体２４の中心線に近付く方向に移動可能なように、複数の分割体２４Ａ；２４Ａ…の各下端縁と円形底体２５の円周縁とが、ヒンジ２４Ｂ等の連結手段で可動可能に連結されて構成されたものであってもよい。
当該構成によれば、例えば、図６（ａ）に示すように４個の分割体２４Ａ；２４Ａ…が円錐台状筒体２４の中心線に近付く方向に移動されていて収容部２１を形成する状態から、図６（ｂ）に示すように４個の分割体２４Ａ；２４Ａ…が円錐台状筒体２４の中心線から離れる方向に移動されて、４個の分割体２４Ａ；２４Ａ…が外側に開くことが可能になるので、地面１０下に設置された回転体支持装置２の収容部２１から回転体１の収容容器１１を出し入れする作業が容易となり、樹木４の植え替え作業が容易となる。
【００２１】
実施形態６
回転体支持装置２の収容部２１が、収容部２１の周壁を形成する円錐台状筒体２４と、収容部２１の底を形成する円形底体２５とを備えた構成において、複数の分割体２４Ａ；２４Ａ…の各下端縁と収容部２１の円形底体２５の周縁とが着脱可能に連結された構成の収容部２１を用いるようにしてもよい。
即ち、回転体支持装置２の円錐台状の収容部２１の周壁が、周方向に複数個に分割された複数の分割体２４Ａ；２４Ａ…により形成され、収容部２１は、複数の分割体２４Ａ；２４Ａ…の各下端縁と収容部２１の円形底体２５の周縁とが着脱可能に連結されて構成されたものを用いてもよい。
当該構成によれば、分割体２４Ａ；２４Ａ…を取り外すことが可能となるので、実施形態５と同様に、地面１０下に設置された回転体支持装置２の収容部２１から回転体１の収容容器１１を出し入れする作業が容易となり、樹木４の植え替え作業が容易となる。
【００２２】
実施形態７
回転体１の回転を防止する図外のストッパーを設け、樹木４の景観を変えたいとき、あるいは、台風等において倒木の可能性が高くなるとき等、樹木４を回転させたいときにストッパーを解除して回転体１が回転可能となるような構成としてもよい。このようにすれば、樹木４を回転させたいときにのみ樹木４を回転させることが可能となり、通常時にはストッパーを作動させることで、むやみに樹木４が回転しないようにできる。
【００２３】
実施形態８
回転体１を回転させるためのモータ―などの回転動力源を設けて、回転動力源で回転体１を回転させて樹木４を回転させるようにしてもよい。
【００２４】
実施形態９
また、回転体１の収容容器１１の周面や回転体支持装置２の収容部２１の周面は、必ずしも、円形でなくてもよい。
例えば、回転体１の収容容器１１として、外周面が三角形状、四角形状、多角形形状、不定形状等に形成された構成のもの、例えば、角錐台筒状の収容空間、角筒状の収容空間有した容器を用いた場合は、回転体支持装置２の収容部２１としては、回転体１を回転可能に収容できて内周面が円形に形成されたものを用いればよい。この場合、回転体１の収容容器１１の上端開口と回転体支持装置２の収容部２１の円形状の上端開口２３との間の開口３５を塞ぐ蓋６は、外周縁が収容部２１の円形状の上端開口２３に対応した円形状に形成されて収容部２１と連結されないとともに内周側が回転体１の収容容器１１の上端開口縁部に連結されて回転体１と一緒に回転可能に設けられた環状の蓋６を用いればよい。
また、回転体支持装置２の収容部２１として、内周面が三角形状、四角形状、多角形形状、不定形状等に形成された構成のもの、例えば、角錐台筒状の収容空間、角筒状の収容空間有した容器を用いた場合は、回転体１の収容容器１１としては、収容部２１の内側に回転可能に収容されて外周面が円形に形成されたものを用いればよい。この場合、回転体１の収容容器１１の上端開口と回転体支持装置２の収容部２１の上端開口との間の開口３５を塞ぐ蓋６は、外周側が収容部２１の上端開口縁に連結されるとともに内周縁が収容容器１１の円形状の上端開口に対応した円形状に形成されて収容容器１１と連結されずに回転体１が単独で回転できるように構成された環状の蓋６を用いればよい。
以上のように構成することで、回転体１の収容容器１１の外周面や回転体支持装置２の収容部２１の外周面が必ずしも円形でなくても、回転体１の収容容器１１の上端開口と回転体支持装置２の収容部２１の上端開口との間の開口３５を蓋６で塞いで、回転体１と回転体支持装置２との間の隙間３６内に雨水や異物が侵入しない構成とできる。
【００２５】
実施形態１０
蓋６を設けることなく、収容容器１１の上端開口側、あるいは、収容部２１の上端開口側に、収容容器１１の上端開口と収容部２１の上端開口との間の環状開口を塞ぐ環状塞ぎ片等の塞部材を設けるようにしてもよい。
【００２６】
尚、収容容器１１内に、１本だけでなく、複数本の樹木４を植え込むようにしてもよい。
【符号の説明】
【００２７】
１  回転体、２  回転体支持装置、３  土、４  樹木、５  樹木の根、
６  蓋（塞部材）、７  樹木転倒防止手段、１０  地面、１１  収容容器、
１２  収容容器の上部開口、１６  収容容器の外底面、１７  収容容器の外周面、
２１  収容部、２２  軸受（回転支持機構）、２３  収容部の上部開口、
２４  円錐台状筒体、２４Ａ  分割体、２５  円形底体、２７  収容部の内底面、
３０  収容部の内周面、３５  環状開口、３６  隙間、４１  樹木の幹、
７１  リング体、７２  連結体（固定手段）。
【図１】
0006585499.tif 000002
【図２】
0006585499.tif 000003
【図３】
0006585499.tif 000004
【図４】
0006585499.tif 000005
【図５】
0006585499.tif 000006
【図６】
0006585499.tif 000007